(57)【特許請求の範囲】
【請求項１】
蒸気タービンケーシングセグメント（２２）であって、
水平継手表面（２４）と、
前記水平継手表面（２４）における第１の開口部（３８）及びほぼ半径方向外向きに面した第２の開口部（４０）を有するポケット（３６）と、
該蒸気タービンケーシングセグメント（２２）の半径方向外側表面（４４）からアクセス可能なポート（４２）であって、前記ポケット（３６）の第２の開口部（４０）と連通したポート（４２）と
を備える、蒸気タービンケーシングセグメント（２２）。
【請求項２】
前記ポート（４２）内に調整ボルト（５０）をさらに含んでおり、前記調整ボルト（５０）が、該蒸気タービンケーシングセグメント（２２）の半径方向外側表面（４４）から前記ポケット（３６）内に少なくとも部分的に延在する、請求項１に記載の蒸気タービンケーシングセグメント（２２）。
【請求項３】
前記水平継手表面（２４）とほぼ平行に延在する半径方向に延在するスロット（３０）をさらに含んでおり、前記半径方向に延在するスロット（３０）が、調整部材（５２）を受けるように構成される、請求項１又は請求項２に記載の蒸気タービンケーシングセグメント（２２）。
【請求項４】
前記ポケット（３６）の一部分が、支持アーム（２６、２８）内に設置され、前記支持アーム（２６、２８）が、前記ポケット（３６）の第２の開口部（４０）と前記ポート（４２）との間で前記水平継手表面（２４）とほぼ平行に延在するスロット（３０）を含む、請求項１乃至請求項３のいずれか１項に記載の蒸気タービンケーシングセグメント（２２）。
【請求項５】
前記支持アーム（２６、２８）が、前記水平継手表面（２４）とほぼ同一平面の表面を含む、請求項４に記載の蒸気タービンケーシングセグメント（２２）。
【請求項６】
蒸気タービン装置（１０）であって、
（ｉ）ダイアフラムセグメント（１４）と、
（ｉｉ）前記ダイアフラムセグメント（１４）を少なくとも部分的に収容したケーシングセグメント（２２）であって、
（ｉｉａ）水平継手表面（２４）と、
（ｉｉｂ）前記水平継手表面（２４）における第１の開口部（３８）及びほぼ半径方向外向きに面した第２の開口部（４０）を有するポケット（３６）と、
（ｉｉｃ）該ケーシングセグメント（２２）の半径方向外側表面（４４）からアクセス可能でありかつ前記ポケット（３６）の第２の開口部（４０）と連通したポート（４２）と
を有するケーシングセグメント（２２）と、
（ｉｉｉ）前記ポケット（３６）内に配置された支持部材（５４）と、
（ｉｖ）前記ケーシングセグメント（２２）を前記ダイアフラムセグメント（１４）に少なくとも部分的に結合しかつ前記支持部材（５４）に接触した支持バー（３４）と、
（ｖ）前記ポート（４２）内に配置されかつ前記支持部材（５４）に接触した調整組立体（４７）であって、前記支持部材（５４）を介して前記支持バー（３４）の移動を行なわせるように構成されている調整組立体（４７）と
を備える、蒸気タービン装置（１０）。
【請求項７】
蒸気タービンシステム（３００）であって、当該蒸気タービンシステムが、
上部ケーシングセグメント（２０）と、
ケーシング水平継手表面（２４）において前記上部ケーシングセグメント（２０）に結合された下部ケーシングセグメント（２２）と
を備え、
前記下部ケーシングセグメント（２２）が、
前記水平継手表面（２４）における第１の開口部（３８）及びほぼ半径方向外向きに面した第２の開口部（４０）を有するポケット（３６）と、
該下部ケーシングセグメント（２２）の半径方向外側表面（４４）からアクセス可能でありかつ前記ポケット（３６）の第２の開口部（４０）と連通したポート（４２）と
を備える、蒸気タービンシステム（３００）。
【請求項８】
ダイアフラムリング（１２、１４）をさらに含み、前記ダイアフラムリング（１２、１４）が、
上部ダイアフラムセグメント（１２）と、
ダイアフラム水平継手表面（１６）において前記上部ダイアフラムセグメント（１２）に結合された下部ダイアフラムリングセグメント（１４）と
を含み、前記上部ケーシングセグメント（２０）及び下部ケーシングセグメント（２２）が、前記ダイアフラムリング（１２、１４）を囲む、請求項７に記載の蒸気タービンシステム（３００）。
【請求項９】
傾斜面（６４）を有しかつ前記ポケット（３６）内に配置された支持部材（５４）と、
前記上部ケーシングセグメント（２０）を前記下部ダイアフラムセグメント（１４）に少なくとも部分的に結合しかつ前記傾斜面（６４）以外の面において前記支持部材（５４）に接触した支持バー（３４）と、
前記ポート（４２）内に配置されかつ前記支持部材（５４）に接触した調整組立体（４７）であって、傾斜面を有する調整部材（５２）を含んでいるとともに、前記ケーシングセグメント（２２）の半径方向外側表面（４４）からアクセス可能でありかつ前記ダイアフラム水平継手表面（１６）の位置に対して前記ケーシング水平継手表面（２４）の位置を調整するように構成されている調整組立体（４７）と
をさらに備える、請求項８に記載の蒸気タービンシステム（３００）。
【発明の詳細な説明】
【技術分野】
【０００１】
本明細書に開示した主題は、蒸気タービンノズル組立体又はダイアフラム段に関する。具体的には、本明細書に開示した主題は、蒸気タービンノズル組立体のための外部調整及び測定システムに関する。
【背景技術】
【０００２】
蒸気タービンは、作動流体の流れを回転ロータに連結されたタービンバケット内に導く固定ノズル組立体を含む。ノズル構造体（複数のノズル又は「翼形部」を含む）は、「ダイアフラム」又は「ノズル組立体段」と呼ばれることもある。蒸気タービンダイアフラムは、２つの半体を含み、２つの半体は、ロータの周りに組立てられて、これら２つの半体間に水平継手を形成する。各タービンダイアフラム段は、それぞれの水平継手においてダイアフラムの各側部上の支持バー、支持ラグ又は支持ネジによって垂直方向に支持される。ダイアフラムの水平継手はまた、蒸気タービンダイアフラムを囲むタービンケーシングの水平継手に対応している。
【０００３】
従来から、ノズル組立体段は、有線測定又はレーザ測定を使用して、所定の位置にあるロータと或いはロータがない状態でのいずれかで位置合せされる。１つの従来のアプローチでは、ノズル組立体段の下部半体（又は、ノズル下部半体）及びロータは、ノズル組立体段の上部半体（又は、上部半体）がない状態で及び／又は所定の位置にあるケーシングの上部半体と位置合せされる。このアプローチでは、タービンの底部及び各それぞれの側部において下部半体並びにロータ間で、測定が行なわれる。第２の従来のアプローチでは、ノズル上部半体及びケーシング部半体（並びにそれぞれの下部半体）は、ロータがない状態で所定の位置に配置される。このアプローチでは、軸受中心線位置及びノズル組立体中心線間で、測定が行なわれる。いずれのアプローチにおいても、ケーシング、ロータ及び／又はノズル組立体は、これらの部品をロータに対して水平方向及び垂直方向に位置合せするためには取外さなければならない。それらの調整は、費用及び時間がかかるおそれがある。
【先行技術文献】
【特許文献】
【０００４】
【特許文献１】米国特許第７３２９０９８号明細書
【発明の概要】
【課題を解決するための手段】
【０００５】
蒸気タービンノズル組立体のための遠隔調整及び測定システムを開示する。１つの実施形態では、蒸気タービンケーシングセグメントを開示し、本蒸気タービンケーシングセグメントは、水平継手表面と、水平継手表面における第１の開口部及びほぼ半径方向外向きに面した第２の開口部を有するポケットと、該蒸気タービンケーシングセグメントの半径方向外側表面からアクセス可能なポートとを含み、ポートは、ポケットの第２の開口部と連通する。
【０００６】
本発明の第１の態様は、蒸気タービンケーシングセグメントを含み、本蒸気タービンケーシングセグメントは、水平継手表面と、水平継手表面における第１の開口部及びほぼ半径方向外向きに面した第２の開口部を有するポケットと、該蒸気タービンケーシングセグメントの半径方向外側表面からアクセス可能でありかつポケットの第２の開口部と連通したポートとを含む。
【０００７】
本発明の第２の態様は、蒸気タービン装置を含み、本蒸気タービン装置は、ダイアフラムセグメントと、ダイアフラムセグメントを少なくとも部分的に収容したケーシングセグメントとを含み、ケーシングセグメントは、水平継手表面と、水平継手表面における第１の開口部及びほぼ半径方向外向きに面した第２の開口部を有するポケットと、該ケーシングセグメントの半径方向外側表面からアクセス可能でありかつポケットの第２の開口部と連通したポートとを有し、本蒸気タービン装置はさらに、ポケット内に配置された支持部材と、ケーシングセグメントをダイアフラムセグメントに少なくとも部分的に結合しかつ支持部材に接触した支持バーと、ポート内に配置されかつ支持部材に接触した調整組立体とを含み、調整組立体は、支持部材を介して支持バーの移動を行なわせるように構成される。
【０００８】
本発明の第３の態様は、蒸気タービンシステム含み、本蒸気タービンシステムは、上部ケーシングセグメントと、ケーシング水平継手表面において上部ケーシングセグメントに結合された下部ケーシングセグメントとを含み、下部ケーシングセグメントは、水平継手表面における第１の開口部及びほぼ半径方向外向きに面した第２の開口部を有するポケットと、該下部ケーシングセグメントの半径方向外側表面からアクセス可能でありかつポケットの第２の開口部と連通したポートとを含む。
本発明のこれらの及びその他の特徴は、本発明の様々な実施形態を示す添付図面と関連させてなした本開示の様々な態様の以下の詳細な説明から一層容易に理解されるであろう。
【０００９】
本発明のこれらの及びその他の特徴は、本発明の様々な実施形態を示す添付図面と関連させてなした本開示の様々な態様の以下の詳細な説明から一層容易に理解されるであろう。
【図面の簡単な説明】
【００１０】
【図１】本発明の実施形態による蒸気タービンノズル調整及び測定システムの部分端面図。
【図２】図１の蒸気タービン装置の拡大部分端面図。
【図３】本発明の実施形態による蒸気タービンシステムの部分切断三次元斜視図。
【図４】本発明の実施形態による蒸気タービンシステムの部分断面図。ノズル組立体の上面の平面図。
【発明を実施するための形態】
【００１１】
本発明の図面は正確な縮尺でないことに留意されたい。図面は、本発明の典型的な態様のみを示すことを意図しており、従って本発明の技術的範囲を限定するものとして考えるべきではない。図面では、同じ参照符号付けが、図面間で同様の要素を表している。
【００１２】
本発明の態様は、蒸気タービンノズル組立体のための調整及び測定システムを提供する。幾つかの実施形態では、本発明の態様は、蒸気タービンノズル組立体のための外部調整及び測定システムを提供する。
【００１３】
従来のアプローチと対照的に、本発明の態様は、蒸気タービンノズル組立体、ケーシング及びロータを位置合せすることに伴う時間、費用及び労力を低減する蒸気タービンのための調整及び測定システムを提供する。１つの実施形態では、本発明の態様は、蒸気タービン装置を提供し、本蒸気タービン装置は、ダイアフラムセグメントと、ダイアフラムセグメントを少なくとも部分的に収容したケーシングセグメントとを含み、ケーシングセグメントは、水平継手表面と、水平継手表面における第１の開口部及びほぼ半径方向外向きに面した第２の開口部を有するポケットと、該ケーシングセグメントの半径方向外側表面からアクセス可能でありかつポケットの第２の開口部と連通したポートとを有し、本蒸気タービン装置はさらに、ポケット内に配置された支持部材と、ケーシングセグメントをダイアフラムセグメントに少なくとも部分的に結合しかつ支持部材に接触した支持バーと、ポート内に配置されかつ支持部材に接触した調整組立体とを含み、調整組立体は、支持部材を介して支持バーの移動を行なわせるように構成される。
【００１４】
図１に移ると、本発明の実施形態による蒸気タービン装置１０の部分端面図を示している。１つの実施形態では、蒸気タービン装置１０は、ダイアフラム水平継手表面１６（ダイアフラムセグメント間の接合部）において接合された上部ダイアフラムセグメント１２及び下部ダイアフラムセグメント１４を含むことができる。１つの実施形態では、上部ダイアフラムセグメント１２及び下部ダイアフラムセグメント１４は、少なくとも１つのボルト１８によって接合することができる。また、上部ダイアフラムセグメント１２、１４を少なくとも部分的に収容するものとして示しているのはケーシングであり、ケーシングは、ケーシング水平継手表面２４（ケーシングセグメント間の接合部）において接合された上部ケーシングセグメント２０及び下部ケーシングセグメント２２を含む。１つの実施形態では、上部ケーシングセグメント２０及び下部ケーシングセグメント２２は各々、それぞれ支持アーム２６、２８を含むことができる。図示するように、上部ケーシングセグメント２０は、当技術分野で公知のように支持バー３４のオーバハング部分３２を受けるように構成されたスロット３０を含むことができる。下部ケーシングセグメント２２は、ケーシング水平継手表面２４に第１の開口部３８（第１の開口部３８は、この二次元図では明瞭でない）を有するポケット３６を含むことができる。ポケット３６はさらに、ほぼ半径方向外向きに面して（ｒ軸によって示した半径方向にダイアフラムセグメント１４から離れる方向に）開口した第２の開口部４０を含むことができる。
【００１５】
下部ケーシングセグメント２２はさらに、該下部ケーシングセグメント２２の半径方向外側表面４４からアクセス可能なポート４２を含むように図示している。１つの実施形態では、ポート４２は、例えばチャネル又は通路４６を介して第２の開口部４０と連通する。１つの実施形態では、ポート４２（従って、通路４６）は、調整組立体４７（図２参照、図１ではこの部分の符号付けは表示を明瞭にするために省略している）の一部分により実質的に埋めかつシールすることができる。１つの実施形態では、ポート４２（従って、通路４６）は、ラグ５１を有する調整ボルト５０（例えば、ほぼ半径方向に延在することができるボルト又はネジ）により実質的に埋めかつシールすることができる。調整組立体４７（図２に符号付けしている）は、調整部材５２を含むことができ、調整部材５２は、例えば傾斜面（図２に符号付けしている）を有する部材を含むことができる。
【００１６】
また、蒸気タービン装置１０内に含まれるものとして示しているのは、ポケット３６内に配置された支持部材５４である。１つの実施形態では、支持部材５４は、支持バー３４に接触するように構成することができかつオーバハング部分３２において支持バー３４を垂直方向に支持するように構成することができる。１つの実施形態では、支持部材５４は、例えば鋼を含む金属とすることができる。幾つかのケースでは、支持部材５４は、ボルト５６（例えば、ショルダボルト）又はその他の取付け機構により下部ケーシングセグメント２２（例えば、支持アーム２８において）に取外し可能に固定することができる。例えば、幾つかのケースでは、支持部材５４は、ピン又はネジにより下部ケーシングセグメント２２に取外し可能に固定することができる。１つの実施形態では、下部ケーシングセグメント２２は、ボルト５６又は別の取付け機構を受けてポケット３６内に支持部材５４を保持するように構成されたアパーチャ（例えば、表示を明瞭にするために符号付けを省略している、ほぼ半径方向外向きに延在することができるネジ付きアパーチャ）を含むことができる。本明細書にさらに説明するように、支持部材５４は、調整部材５２の傾斜面と相互作用するように構成された傾斜面を含み、
かつダイアフラム水平継手表面１６に対するケーシング水平継手表面２４の移動を行なわせることができる。
【００１７】
図２は、図１の蒸気タービン装置１０の拡大部分端面図を示している。この拡大図に示すように、支持部材５４は、少なくともそれを貫通して延在するアパーチャ５８を含み、アパーチャ５８は、例えばボルト６０のような取付け機構を受けて、支持部材５４を下部ケーシングセグメント（支持アーム２８において）に結合するように構成することができる。支持部材５４はさらに、調整部材５２のほぼ相補形の傾斜面６４と相互作用するように構成された傾斜面６２を含むことができる。調整組立体４７に関して本明細書にさらに説明するように、傾斜面（６２、６４）の相互作用は、調整ボルト５０（及び調整部材５２）の水平方向移動が支持部材５４、従ってケーシング水平継手表面２４の垂直方向（ｚ軸に沿って上方又は下方）移動に変換されるのを可能にする。
【００１８】
１つの実施形態では、調整部材５２は、調整ボルト５０の一部分を受けるように構成された例えばネジ付きアパーチャのようなアパーチャ６６を含む。１つの実施形態では、アパーチャ６６は、調整部材５２に対する位置において調整ボルト５０を保持するカウンターボアを含むことができる。幾つかの実施形態では、調整ボルト５０は、該調整ボルト５０をｒ軸に沿った所望の位置に固定するように構成された保持プレート、タブ、ワイヤなどのような保持部材（この斜視図では目視できない）によって保持することができる。このケースでは、調整部材５２及び調整ボルト５０は、ほぼ該調整ボルト５０の半径方向（ｒ軸方向）の変移が該調整部材５２の半径方向の同様の変移を生じるように結合できることを理解されたい。
【００１９】
図３に移ると、下部ケーシングセグメント２２並びに調整組立体４７（調整部材５２及び調整ボルト５０を含む）及び支持部材５４の部分切断三次元斜視図を示している。さらに図示しているのは、ボルト６０（例えば、保持ショルダボルト）又はその他の取付け機構である。この斜視図から分かるように、調整ボルト５０は半径方向外側表面４４からアクセス可能であって、該調整ボルト５０の半径方向位置は蒸気タービンシステムを閉鎖した状態で（例えば、ケーシング水平継手表面２４がアクセス可能でない時に）調整することができる。傾斜面６２、６４（図２）を形成した角度は、調製組立体４７が支持部材５４上に与えることができる垂直方向（ｚ軸方向）の変移量を表すことを理解されたい。つまり、より急勾配の傾斜面は、調整部材５２による支持部材５４のより大きい垂直方向変移を可能にするが、このより急勾配の角度は、支持部材５４及び調整部材５２上に加わる応力を増大させる。１つの実施形態では、傾斜面６２、６４は、垂直方向に対しておよそ５〜２５°に形成することができる。より具体的には、幾つかの実施形態では、傾斜面６２、６４は、垂直方向に対しておよそ１０〜およそ１５°に形成することができる。
【００２０】
図４は、本発明の実施形態による蒸気タービンシステム３００の部分断面図を示している。本明細書における図間で同じ符号付けをした要素は、ほぼ同様な要素を表すことができることを理解されたい。さらに、通路４６及び関連するポート４２（並びに支持バー３４の細部）は、図示を明瞭にするために省略していることを理解されたい。図示するように、蒸気タービンシステム３００は、ダイアフラムリングセグメント１２、１４を含むことができる。ダイアフラムリングセグメント１２、１４は、それぞれケーシングセグメント２０、２２（又は、それに代えてその他の実施形態に関して図示しかつ記載するように、２０及び１２２）内に収容され、ケーシングセグメント２０、２２はケーシング水平継手表面２４において接合される。この図では、ケーシング水平継手表面２４及びダイアフラム水平継手表面１６は、位置合せされていると見なし、従ってダイアフラム水平継手表面１６は、図示を明瞭にするために省略している。各ダイアフラムリングセグメント１２、１４は、当技術分野で公知のように、タービンノズル３７０の半環状列及び内側ウェブ３６０を支持する。ダイアフラムリングセグメント１２、１４は、当技術分野で公知のように、全体としてロータ３８０を囲む。また、蒸気タービンシステム３００内に含まれるものとして示しているのは、ロータ３８０から半径外側表面４４まで半径方向に延在するアパーチャ３９０（その幾つかを図示している）である。アパーチャ３９０は、蒸気タービンシステム３００の段（それら段は、この図では明瞭でない）間で軸方向に（ページ内にＡ軸方向に）設置することができ、また１つの実施形態では、アパーチャ３９０は、例えばカバープレート、プラグ又はその他の取外し可能な固定シールにより半径方向外側表面から実質的にシールすることができる。別の実施形態では、１以上のアパーチャ３９０は、タービンノズル３７０を貫通しかつ／又はノズル側壁を貫通して延在し、それによって蒸気流路と交差することができる。１つの実施形態では、アパーチャ３９０は、蒸気タービンシステム３００の下死点位置に又は下死点から僅かに離れて設置することができる。他の実施形態では、アパーチャ３９０は、ケーシング及びダイアフラムの水平継手表面１６、２４に近接して設置することができる。さらに、蒸気タービンシステム３００内に複数のアパーチャ３９０（例えば、蒸気タービンシステム３００の周辺部の周りにほぼ等間隔をおいて配置された４つの）を設置して、半径方向外側表面４４の外部のポイントからのロータ３８０へのアクセスを可能にすることができる。１つの実施形態では、アパーチャ３９０は、プローブ又はその他の測定部材を受けてケーシング、ダイアフラム及び／又はロータの部分間の距離を計算するように構成することができる。アパーチャ３９０は、該アパーチャ３９０がタービンノズル３７０と物理的に干渉しない（仮線で示す）ように、蒸気タービンシステム３００の段間に設置されることを理解されたい。別の実施形態では、ロータ３８０及びダイアフラムリング１２（例えば、ダイアフラムリング１２内のタービンノズル３７０）間に１以上の線形可変作動変圧器（ＬＶＤＴ）３９２を配置して、ダイアフラムリング１２及びロータ３８０の位置及び移動に関するデータを収集しかつ送信することができる。ＬＶＤＴ３９２は、当技術分野で公知のように、該ＬＶＤＴ３９２を取付けた要素の物理的移動を電気信号に変換するように構成されたあらゆる従来の線形可変作動変圧器とすることができる。ＬＶＤＴ３９２は、受信システム（例えば、従来の受信機又はその他のコンピュータシステム）に配線することができ或いは受信システムに無線接続することができる。いずれのケースでも、ＬＶＤＴ３９２は、ダイアフラムリング１２並びにロータ３８０の位置及び／又は移動を測定するように構成することができる。別の実施形態では、ＬＶＤＴ３９２の代わりに従来の圧電ベースの装置及び／又は従来の静電容量装置を使用してダイアフラムリング１２並びにロータ３８０の位置及び／又は移動を測定することができる。幾つかの実施形態では、これらの装置（例えば、ＬＶＤＴ３９２、圧電ベースの装置又は静電容量装置）は、蒸気タービンシステム３００の初期静止状態に耐えることができる必要があるのみである。つまり、幾つかの実施形態では、これらのタイプの装置の１以上は、蒸気タービンシステム３００の運転が開始した後に位置又は移動に関連するデータを収集及び／又は送信するのに比較的有効でないものとなる。
【００２１】
従来の蒸気タービンシステムと対照的に蒸気タービンシステム３００は、システムの周辺部に沿った１以上の位置においてロータ、ダイアフラム及びケーシング間の位置関係を測定するのを可能にする。具体的には、蒸気タービンシステム３００は、該システムが閉鎖された状態で（例えば、ケーシングセグメント２０、２２、ダイアフラムセグメント１２、１４及びロータ３８０が所定の位置にある場合に）その構成要素の位置関係の測定を行なうことができる。このシステム３００は、測定値を得るためには少なくとも幾つかの構成要素（例えば、ケーシング、ダイアフラム及び／又はロータ）の取外しを必要とする従来のシステムに関連する測定の時間及び費用を低減することができる。
【００２２】
本明細書で使用する用語は、特定の実施形態を説明することのみを目的とするものであり、本開示を限定することを意図するものではない。本明細書で使用する場合に、数詞を付していない表現は、文脈がそうでないことを明確に示していない限り、複数の形態もまた含むことを意図している。さらに、本明細書で使用する場合の「含む」及び／又は「含んでいる」という用語は、記述した特徴、回数、ステップ、操作、要素及び／又は構成部品の存在を特定するが、１以上のその他の特徴、回数、ステップ、操作、要素、構成部品及び／或いはそれらの群の存在又は付加を排除するものではないことを理解されたい。
【００２３】
本明細書では、本発明を最良の形態を含めて開示するとともに、装置又はシステムの製造・使用及び方法の実施を始め、本発明を当業者が実施できるようにするため、例を用いて説明してきた。本発明の特許性を有する範囲は、特許請求の範囲によって規定され、当業者に自明な他の例も包含する。かかる他の例は、特許請求の範囲の文言上の差のない構成要素を有しているか、或いは特許請求の範囲の文言と実質的な差のない均等な構成要素を有していれば、特許請求の範囲に記載された技術的範囲に属する。
【符号の説明】
【００２４】
１０  蒸気タービン装置
１２  上部ダイアフラムセグメント
１４  下部ダイアフラムセグメント
１６  ダイアフラム水平継手表面
１８  ボルト
２０  上部ケーシングセグメント
２２  下部ケーシングセグメント
２４  ケーシング水平継手表面
２６  支持アーム
２８  支持アーム
３０  スロット
３２  オーバハング部分
３４  支持バー
３６  ポケット
３８  第１の開口部
４０  第２の開口部
４２  ポート
４４  半径方向外側表面
４６  通路
４７  調整組立体
５０  調整ボルト
５１  ラグ
５２  調整部材
５４  支持部材
５６  ボルト
５８  アパーチャ
６０  ボルト
６２  傾斜ボルト
６４  傾斜面
３００  蒸気タービンシステム
３６０  内側ウェブ
３７０  タービンノズル
３８０  ロータ
３９０  アパーチャ
３９２  線形可変差動変圧器
【図１】
0005986367.tif 000002
【図２】
0005986367.tif 000003
【図３】
0005986367.tif 000004
【図４】
0005986367.tif 000005